(57)【要約】【課題】 標準のカード・サイズの外形を有するデータ記録媒体において比較的大きな容量の光学的記録データと、該光学的記録媒体の記録内容を説明若しくは関連情報を記載した電気的記録データ及び視覚確認データをそれぞれ具備するカード状データ記録媒体を提供する。【解決手段】標準のカード・サイズの外形を有すると供に、その中央部に貫通穴を有し、前記貫通穴の外側同心円上には前記光学読取装置に装着した際に前記光学読取装置のディスク受けトレイの内側円形の凹みに合致嵌合することにより装着ズレを防止するための突起を有する装着整合部と、当該データ記録媒体の一方の面側に、前記光学的読取／書込装置によって読み出し又は書き込み可能な第１のデータを光学的に記録する第１データ記録部と、当該データ記録媒体の他方の面側に、外部の非接触型データ読取／書込装置によって読み出し又は書き込み可能な第２のデータを電気的に記録する第２データ記録部と、前記他方の面上に、前記第１のデータ又は前記第２のデータの内容に関する事項を視覚的に表示する情報表示部とを具備する。【選択図】  図６
2005100477.tif 000002
【特許請求の範囲】
【請求項１】
コンパクト・ディスク装置等の光学的読取／書込装置によってデータの読み取り若しくは書き込みが可能なデータ記録媒体であって、
一般的なカード・サイズの外形を有すると供に、その中央部に貫通穴を有し、前記貫通穴の外側同心円上には前記光学読取装置に装着した際に前記光学読取装置のディスク受けトレイの内側円形の凹みに合致嵌合することにより装着ズレを防止するための突起を有する装着整合部と、
当該データ記録媒体の一方の面側に、前記光学的読取／書込装置によって読み出し又は書き込み可能な第１のデータを光学的に記録する第１データ記録部と、外部の非接触型データ読取／書込装置によって読み出し又は書き込み可能な第２のデータを電気的に記録する第２データ記録部と、
当該データ記録媒体の他方の面側に、前記第１のデータ又は前記第２のデータの内容に関する事項を視覚的に表示する情報表示部と、
をそれぞれ具備することを特徴とするデータ記録媒体。
【請求項２】
前記データ記録媒体の外形標準サイズは、縦５２ミリメートル横８６ミリメートルである、請求項１に記載のデータ記録媒体。
【請求項３】
前記貫通穴の標準径は、コンパクト・ディスクと同じ、１５ミリメートルである、請求項１に記載のデータ記録媒体。
【請求項４】
前記突起は、前記一方の面側において前記貫通穴の外側同心円上に円弧状に設けられていることを特徴とする請求項１に記載のデータ記録媒体。
【請求項５】
前記円弧状突起は、データ記録媒体の横長方向の両端側において、夫々が区切られた３つの連続する円弧によって構成されていることを特徴とする、請求項４に記載のデータ記録媒体。
【請求項６】
前記突起は、前記貫通穴の中心から３８乃至４０ミリメートルに亘って突起して設けられている請求項５に記載のデータ記録媒体。
【請求項７】
前記突起は、前記一方の面側において前記貫通穴の外側同心円上に設けられた複数の三角形状に形成されている突起から構成されていることを特徴とする請求項１に記載のデータ記録媒体。
【請求項８】
前記三角形状の突起は、データ記録媒体の横長方向の両端側において夫々一箇所又は複数箇所において設けられ、その底辺が前記貫通穴の外側同心円上に沿う状態にて設けられていることを特徴とする、請求項７に記載のデータ記録媒体。
【請求項９】
前記貫通穴の外側同心円上に沿うように設けられた三角形状の突起の前記底辺は、前記貫通穴の中心から４０ミリメートルに位置する請求項８に記載のデータ記録媒体。
【請求項１０】
前記突起の高さは、前記データ記録媒体の一方の面上から０．３乃至１．２ミリメートルである、請求項６又は９に記載のデータ記録媒体。
【請求項１１】
前記第１データ記録部は、前記貫通穴の中心から２１．５乃至２９ミリメートルに至って前記第１のデータが光学的に記録されていることを特徴とする請求項１に記載のデータ記録媒体。
【請求項１２】
前記第１のデータ記録部は、オーディオ用ＣＤ規格に準拠したデータ・フォーマットに基づいて、音声／音楽データを記録した請求項１１に記載のデータ記録媒体。
【請求項１３】
前記第１のデータ記録部は、オーディオ用ＭＤ規格に準拠したデータ・フォーマットに基づいて、音声／音楽データを記録した請求項１１に記載のデータ記録媒体。
【請求項１４】
前記第１のデータ記録部は、ＣＤ／ＲＯＭ規格に準拠したデータ・フォーマットに基づいて、文字記号等のコードデータ、静止画像データ若しくは動的画像データを記録した請求項１１に記載のデータ記録媒体。
【請求項１５】
前記第１のデータ記録部は、ＭＰ３規格に準拠したデータ・フォーマットに基づいて、音声／音楽データを記録した請求項１１に記載のデータ記録媒体。
【請求項１６】
前記第１のデータ記録部は、ＤＶＤ規格に準拠したデータ・フォーマットに基づいて、画像データ及び音声／音楽データを記録した請求項１１に記載のデータ記録媒体。
【請求項１７】
前記第１のデータ記録部は、オーディオ用ＣＤ規格、ＭＤ規格、ＣＤ／ＲＯＭ規格、ＭＰ３規格、又はＤＶＤ規格のそれぞれの規格に準拠したデータ・フォーマットに基づいて、静止画像データ、動的画像データ、音声／音楽データ、文字記号等のコードデータの各種データを同時に複数種類記録した請求項１１に記載のデータ記録媒体。
【請求項１８】
前記第１のデータ記録部は、オーディオ用ＣＤ規格に基づいてオーディオ情報を記録した場合は、少なくとも３分間のデータを記録することが可能な請求項１２に記載のデータ記録媒体。
【請求項１９】
前記第１のデータ記録部は、ＣＤ／ＲＯＭ規格に基づいてデータを記録した場合は、少なくとも３０メガバイトのデータを記録することが可能な請求項１４に記載のデータ記録媒体。
【請求項２０】
前記第１のデータ記録部は、ＤＶＤ規格に基づいてデータを記録した場合は、少なくとも１０３メガバイトのデータを記録することが可能な請求項１６に記載のデータ記録媒体。
【請求項２１】
前記第１のデータ記録部は、前記の各種データを所定のデータ圧縮技術により圧縮して記録した請求項１３乃至１７に記載のデータ記録媒体。
【請求項２２】
前記第２のデータ記録部は、前記第２のデータを電気的に記憶する不揮発性半導体メモリと、外部の非接触型データ読取／書込装置と磁束又は電磁束（電波）を介して交信するためのループアンテナと、前記ループアンテナと前記不揮発性半導体メモリ間のデータの移動を制御するための制御回路と、から構成されることを特徴とする請求項１に記載にデータ記録媒体。
【請求項２３】
前記第２のデータ記録部を構成する前記不揮発性半導体メモリ、前記ループアンテナ及び前記制御回路は、ハイブリッドＩＣ製造印刷技術によりデータ記録媒体の前記一方の面側に形成されることを特徴とする請求項２２に記載のデータ記録媒体。
【請求項２４】
前記ループアンテナは、矩形状若しくは円形状の所定のインピーダンスを有する導電材を印刷技術によりデータ記録媒体の前記一方の面側に形成したことを特徴とする請求項２３に記載のデータ記録媒体。
【請求項２５】
前記第２のデータ記録部へのデータの書き込み又は読み出しは、所定周波数帯域の磁束信号若しくは電波信号を媒体として非接触で行われることを特徴とする請求項２２乃至２４に記載のデータ記録媒体。
【請求項２６】
前記電波信号の前記所定周波数帯域は、１３．４５ギガヘルツ帯域である、請求項２４に記載のデータ記録媒体。
【請求項２７】
前記データ記録媒体における前記情報表示部は、目視する角度により表示画像が異なって見えるホログラフィが前記他方の面上に１若しくは複数箇所において表示形成されていることを特徴とする請求項１に記載のデータ記録媒体。
【請求項２８】
前記ホログラフィは、それぞれ異なる２４コマの画像から成り、これによりデータ記録媒体との視覚角度を変化させることにより一連の動的画像を提供するように構成されている請求項２７に記載のデータ記録媒体。
【請求項２９】
前記情報表示部は、目視により確認することのできる文字、記号又は図形を予め印刷されたラベルが前記他方の面上に１若しくは複数箇所において貼付けられていることを特徴とする請求項１に記載のカード状データ記録媒体。
【請求項３０】
前記情報表示部は、前記第１のデータの記録内容を表示し又は当該記録内容に関連ある情報を表示するように構成されている請求項２６乃至２９に記載のデータ記録媒体。
【発明の詳細な説明】
【０００１】
【発明の属する技術分野】
本発明は、音声／音楽等のオーディオデータ、画像データ、若しくは文字、記号等のコード・データ等の比較的大きな容量の情報を光学的に記録する一般のカードサイズの形状を有するデータ記録媒体に関する。
【０００２】
【従来の技術】
従来、コンパクト・ディスクの光学的読取装置で、音声／音楽等の情報を記録した名刺サイズの情報カードが知られている。この長方形の情報カードには、カードの中心にコンパクト・ディスクの中心穴と同じ大きさ（直径１５ミリメートル）の貫通穴があけられ、この貫通穴の中心のスパイラル線状に情報が記録されている。
【０００３】
図１３は、従来の情報カードの断面図を模式的に示す。この種のカード１０は、コンパクト・ディスクと同じように、透明基板１１、アルミニウム膜１２および保護膜１３の３層からなり、カードの中心部にコンパクト・ディスクの中心穴と同じ大きさの貫通穴１４が設けられている。そして、アルミニウム膜１２上には、スパイラル線状に光学的データ・ビットが付けられ、音声および音楽等の情報が記録された情報記録部１５を有している。
【０００４】
図１４は、従来の光学的読取装置のコンパクト・ディスクを載置するトレイを模式的に示す。この種の情報を光学的に読み取る装置のコンパクト・ディスクを載置するトレイ１６には、通常サイズのコンパクト・ディスクを載置する直径１２０ｍｍの凹み１７と、その内側に、小型のコンパクトディスクを載置する直径８０ｍｍの凹み１８が設けられている。そして、情報カード１０は、８０ｍｍの凹みに載置できるサイズに形成されており、光学的読取装置にセットしたとき、貫通穴１４をトレイ１６上の回転軸位置にほぼ一致させるようになっている。
【０００５】
しかしながら、トレイ１６下方向からのレーザーピックアップを逃げる部分が矩形の切欠き１９になっているため、円形の凹み１８に合わせて載置した長方形の情報カード１０は、載置するときの方向によっては、トレイ１６が閉じるときの慣性または衝撃で、カード１０が動いてずれてしまい、記録された情報を読み出すことができなくなる可能性があった。
【０００６】
このように、従来の名刺サイズの情報カードには、所定の情報が光学的に記録されてはいるが、当該光学的情報内容を説明し若しくは記録する電気情報を記録することはできなかった。また、カードには光学的に読み出される情報のみが記録されているので、カードを実際に光学的読取装置にかけなければ如何なる情報データが記録されているか知ることができなかったのである。
【発明が解決しようとする課題】
本発明は、従来技術におけるこのような課題に鑑みてなされたものであって、標準のカード・サイズの外形を有するデータ記録媒体において比較的大きな容量の光学的記録データと、該光学的記録媒体の記録内容を説明若しくは関連情報を記載した電気的記録データ及び視覚的に確認できる目視情報をそれぞれ具備するカード状データ記録媒体を提供することを目的とする。ここで、本発明は、前記電気的記録データを電波を介して非接触で書き込み及び読み出すことのできるカード状のデータ記録媒体を提供することを目的とする。
【０００７】
本発明は、さらに、光学的読取装置のディスク受けトレイの円形の凹みに載置したカードが、トレイが閉まるときの慣性または衝撃で、読取位置がずれることのなく回転ブレが生じないように形成されたカード状データ記録媒体を提供することを目的とする。
【０００８】
【課題を解決するための手段】
このような従来技術の課題に鑑みて、本発明によるカード状データ記録媒体は、コンパクト・ディスク装置等の光学的読取／書込装置によってデータの読み取り若しくは書き込みが可能なデータ記録媒体であって、一般的なカード・サイズの外形を有すると供に、その中央部に貫通穴を有し、前記貫通穴の外側同心円上には前記光学読取装置に装着した際に前記光学読取装置のディスク受けトレイの内側円形の凹みに合致嵌合することにより装着ズレを防止するための突起を有する装着整合部と、当該データ記録媒体の一方の面側に、前記光学的読取／書込装置によって読み出し又は書き込み可能な第１のデータを光学的に記録する第１のデータ記録部と、当該データ記録媒体の他方の面側に、外部の非接触型データ読取／書込装置によって読み出し又は書き込み可能な第２のデータを電気的に記録する第２データ記録部と、前記他方の面上に、前記第１のデータ又は前記第２のデータの内容に関する事項を視覚的に表示する情報表示部と、をそれぞれ具備することを特徴とするデータ記録媒体を提供するものである。
【０００９】
ここで、前記データ記録媒体の外形標準サイズは、縦５２ミリメートル横８６ミリメートルである、前記貫通穴の標準径は、コンパクト・ディスクと同じく、１５ミリメートルである。
【００１０】
また、前記突起は、前記一方の面側において前記貫通穴の外側同心円上に円弧状に設けられていることを特徴とする。そして、該円弧状突起は、データ記録媒体の横長方向の両端側において、夫々が区切られた３つの連続する円弧によって構成されていることを特徴とする。突起は、前記貫通穴の中心から３８乃至４０ミリメートルに亘って２ミリメートル幅で突起させる。また、本データ記録媒体を光学読取装置に装着した際に前記光学読取装置のディスク受けトレイの内側円形の凹みに合致嵌合することにより装着ズレを防止すると供に、円弧状の突起は、２箇所において区切られていることによりカード基材における機械的強度を維持し、アクリル材等により製造されるデータ記録媒体への変形ストレスによるダメージをより小さくしている。
【００１１】
前記突起は、前記一方の面側において前記貫通穴の外側同心円上に設けられた複数の三角形状に形成されている突起から構成するようにしてもよい。ここで、該三角形状の突起は、データ記録媒体の横長方向の両端側において夫々一箇所又は複数箇所において設けられ、その底辺が前記貫通穴の外側同心円上に沿う状態にて設ける。そして、前記貫通穴の外側同心円上に沿うように設けられた三角形状の突起の前記底辺は、前記貫通穴の中心から４０ミリメートルに位置する。これによって、本データ記録媒体を光学読取装置に装着した際に前記光学読取装置のディスク受けトレイの内側円形の凹みに合致嵌合することにより装着ズレを防止する。突起の高さは、前記データ記録媒体の一方の面上から０．３乃至１．２ミリメートルにするとよい。標準的には、０．５ミリメートル程度とする。
【００１２】
本データ記録媒体における第１データ記録部は、前記貫通穴の中心から２１．５乃至２９ミリメートルに至って前記第１のデータが光学的に記録される。
そして、前記第１のデータ記録部は、次のような各種情報データを記録する。
（１）オーディオ用ＣＤ規格に準拠したデータ・フォーマットに基づいて音声／音楽データを記録する。
（２）オーディオ用ＭＤ規格に準拠したデータ・フォーマットに基づいて音声／音楽データを記録する。
（３）ＣＤ／ＲＯＭ規格に準拠したデータ・フォーマットに基づいて文字記号等のコードデータ、静止画像データ若しくは動的画像データを記録する。
（４）ＭＰ３規格に準拠したデータ・フォーマットに基づいて音声／音楽データを記録する。
（５）ＤＶＤ規格に準拠したデータ・フォーマットに基づいて画像データ及び音声／音楽データを記録する。
【００１３】
さらに、本データ記録媒体の第１のデータ記録部は、オーディオ用ＣＤ規格、ＭＤ規格、ＣＤ／ＲＯＭ規格、ＭＰ３規格、又はＤＶＤ規格のそれぞれの規格に準拠したデータ・フォーマットに基づいて、静止画像データ、動的画像データ、音声／音楽データ、文字記号等のコードデータの各種データを同時に複数種類記録するように構成することも可能である。
【００１４】
そして、前記第１のデータ記録部は、前記の各種データを所定のデータ圧縮技術により圧縮して記録すればより多くの情報データを格納利用することが可能となる。
【００１５】
本データ記録媒体の第２のデータ記録部は、前記第２のデータを電気的に記憶する不揮発性半導体メモリと、外部の非接触型データ読取／書込装置と磁束又は電磁束（電波）を介して交信するためのループアンテナと、前記ループアンテナと前記不揮発性半導体メモリ間のデータの移動を制御するための制御回路と、から構成される。
【００１６】
ここで、前記第２のデータ記録部を構成する前記不揮発性半導体メモリ、前記ループアンテナ及び前記制御回路は、ハイブリッドＩＣ製造印刷技術によりデータ記録媒体の前記一方の面側に形成される。ここで、使用される不揮発性半導体メモリの例としては、フラッシュメモリ、磁気バブルメモリ等が用いられる。
【００１７】
前記ループアンテナは、矩形状若しくは円形状の所定のインピーダンスを有する導電材を印刷技術によりデータ記録媒体の前記一方の面側に形成する。そして、前記第２のデータ記録部へのデータの書き込み又は読み出しは、所定周波数帯域の磁束信号若しくは電波信号を媒体として非接触で行われる。ここ利用される電波信号の前記所定周波数帯域は、例えば１３．４５ギガヘルツ帯域である。従って、極めて高速にデータの書き込み又は読み込みが可能となる。
【００１８】
本データ記録媒体における情報表示部は、目視する角度により表示画像が異なって見えるホログラフィを本データ記録媒体の他方の面上に１若しくは複数箇所において貼付する。ここで使用されるホログラフィは、それぞれ異なる２４コマの画像から成り、これによりデータ記録媒体との視覚角度を変化させることにより一連の動的画像を提供するように構成する。但し、単に目視により確認することのできる文字、記号又は図形を予め印刷されたラベルを添付するようにしてもよい。本データ記録媒体におけるこのような情報表示部により、前記第１のデータの記録内容を表示し又は当該記録内容に関連ある情報を表示する。これによって、利用者は、本データ記録媒体の前記第１のデータ記録部に係る主記録内容に関する情報を視覚的に確認できることとなる。
【００１９】
【発明の実施の形態】
以下、本発明に係るデータ記録媒体の詳細を図の記載に基づいて説明する。
図１は、本発明のカード状データ記録媒体を裏面から見た状態を示す。このデータ記録媒体は、コンパクト・ディスク装置等の光学的読取／書込装置によってデータの読み取り若しくは書き込みが可能である。カード１の外形は、一般的なカード・サイズの外形を有している。すなわち、その外形標準サイズは、縦５２ミリメートル、横８６ミリメートルである。カード１の一方の面側である裏面には、光学的読取／書込装置によって読み出し又は書き込み可能な第１のデータを光学的に記録する第１のデータ記録部２が設けられている。
【００２０】
カード１の中央部には、貫通穴３が設けられている。貫通穴３の標準径は、コンパクト・ディスクと同じ、１５ミリメートルである。貫通穴３の外側同心円上には、光学的読取装置に装着した際に、光学的読取装置のディスク受けトレイの内側円形の凹みに嵌合することにより装着ズレを防止するための突起を有する装着整合部が設けられている。
【００２１】
装着整合部の突起は、貫通穴３および第１のデータ記録部２の外側で、貫通穴３の中心から３８乃至４０ミリメートルの位置にに亘って、０．３乃至１．２ミリメートルの高さに突起して設けられている。実施例においては０．５ミリメートルの高さとした。貫通穴３の同心円上に円弧状に、夫々円弧状の突起４ａ、４ｂ、４ｃおよび円弧状の突起４ｄ、４ｅ、４ｆが形成されている。この円弧状の突起は、データ記録媒体であるカード１の横長方向の両端側において、夫々が区切られた３つの連続する円弧によって構成されている。
【００２２】
これにより、カード１をトレイ１６の円形の凹み１８に載置したとき、がたつくことなく嵌合する。突起４ａ〜４ｆの数は、夫々３本づつに限定するものではなく、１本でもよいし、３本以上あってもよい。そして、これらの円弧状の突起４ａ〜４ｆは、光学的読取装置にカード１を正しく位置決めするものである。
【００２３】
第１のデータ記録部２は、貫通穴３の中心から２１．５乃至２９ミリメートルに亘り、第１のデータが光学的に記録されている。データの記録部２には、オーディオ用ＣＤ規格、オーディオ用ＭＤ規格もしくはＭＰ３規格に準拠したデータ・フォーマットに基づいて、音声／音楽データが記録されている。また、第１のデータ記録部２には、ＣＤ／ＲＯＭ規格に準拠したデータ・フォーマットに基づいて、文字記号等のコードデータ、静止画像データ若しくは動的画像データが記録されている。また、第１のデータ記録部２には、ＤＶＤ規格に準拠したデータ・フォーマットに基づいて、画像データ及び音声／音楽データが記録されている。そして、これらの複数種類のコードデータを同時に記録することもできる。
【００２４】
オーディオ用ＣＤ規格に基づいてオーディオ情報を記録した場合は、少なくとも３分間のデータを記録することが可能である。ＣＤ／ＲＯＭ規格に基づいてデータを記録した場合は、少なくとも３０メガバイトのデータを記録することが可能であり、ＤＶＤ規格に基づいてデータを記録した場合は、少なくとも１０３メガバイトのデータを記録することができる。これらの各種データを圧縮技術により、圧縮して記録することができるのは言うまでもない。
【００２５】
図２は、図１のＡＡ線断面図である。図３は、図１を矢印Ｂの方向から見た図であり、そして図４は、図１を矢印Ｃの方向から見た図である。いずれの図においても、円弧状の突起４ａ〜４ｆの位置と高さを模式的に示している。
【００２６】
図５は、図１のＤＤ線の一部拡大断面図である。カード１の材質は透明なアクリル樹脂である。第１のデータ記録部２のアルミニウム膜１２には、貫通穴３の中心に対し、スパイラル状に情報が記録されている。そして、第１のデータ記録部２は、透明なアクリル樹脂製のシールカバー９によりシールされている。
【００２７】
図６は、本発明のカード状データ記録媒体を表面から見た状態を示す図である。カード１の一端には、外部の非接触型データ読取／書込装置によって読出し又は書き込み可能な第２のデータを電気的に記憶する第２のデータ記録部６が設けられている。第２のデータ記録部６は、第２のデータを電気的に記憶するワンチップで構成された不揮発性半導体メモリ５、例えば、フラッシュメモリ又は磁気バブルメモリと、外部の非接触型データ読取／書込装置と磁束又は電磁波（電波）を介して交信するためのループアンテナ（図示せず）が設けられている。さらに、第２のデータ記録部６には、このループアンテナと不揮発性半導体メモリ５間のデータの移動を制御するための制御回路が設けられている。この第２のデータ記録部６には、第１のデータ記録部２に記録されている情報の内容を示すか若しくは説明する関連情報を記録する。これにより、カードを実際に光学的読取装置にかけなくとも第１のデータ記録部に如何なる情報データが記録されているかを非接触状態で知ることを可能にしたのである。当該第２の記録部６に記憶されるデータは、主に、文字、記号等のコードデータである。
【００２８】
第２のデータ記録部６を構成する不揮発性半導体メモリ５、ループアンテナ及び制御回路は、ハイブリッドＩＣ製造印刷技術により形成される。このループアンテナは、矩形状若しくは円形状の所定のインピーダンスを有する導電材を印刷技術により形成される。
【００２９】
第２のデータ記録部６へのデータの書き込み又は読み出しは、所定周波数帯域の磁束信号若しくは電波信号を媒体として非接触で行なわれる。実施例において電波信号の所定周波数は１３．４５ギガヘルツ帯域を用いた。
【００３０】
この第２のデータ記録部６は、非接触式のデータ書込／読取装置によってデータの書き込み及び読み取りが可能なデータ記録装置（以下、「非接触メモリ」という）を用いる。非接触メモリは、マイクロ波を用いた無線技術により実現した双方向交信可能なデータキャリアである。マイクロ波を用いているので、アンテナが超小型でカードの端に搭載可能である。また、当該非接触メモリには、インテリジェンス性を具備させるべく、ＣＰＵチップを搭載し、単なるメモリ機能のみならず、制御若しくは判断機能を具備させるようにすることにより、本発明に係るデータ記憶媒体の利用分野を飛躍的に拡大することが可能となる。例えば、個人の医療記録を記載した医療記録又は診断カード、図書館利用者カード、小売店メンバー・カード、各種会員カード、等々の利用分野が考えられる。
【００３１】
非接触メモリは、記憶デバイスとしてのＬＳＩチップと、導電体をループ状に印刷して形成したループアンテナを組み合わせたものであり、電池は取り付けられていない。記憶デバイスには、半導体フラッシュメモリ素子又は、磁気バブルメモリ等の不揮発性記憶デバイスが用いられる。
【００３２】
第２の記録部である非接触メモリ部は、そのサイズが６０ｍｍ×１０ｍｍであり、厚みは０．６５+０．２５ｍｍである。データの読み取りは、一台の専用読取／書込装置により複数個のアンテナを制御し、１３．４５ＧＨｚのマイクロ波により行はれる。そして、指向性を補正し、読取領域を拡大することにより、データ読取装置とＩＣチップを平行にしなくても、非接触でデータを読み取ることができる。
【００３３】
これにより、非接触メモリは、バーコードでは、読み取ることができない袋やダンボールの中でも、ＩＣチップに記録されたデータを読み取ることができる。従って、非接触メモリを貼り付けた商品がゲートを通過するだけで、ＩＣチップが発するマイクロ波を受信し、商品の種類を判別することができる。ＩＣチップに記録することのできる情報量は、バーコードの約１０倍なので、様々な情報を盛り込むことができ、商品管理の精度が高めることができる。
【００３４】
また、非接触メモリは、記憶容量（ユーザ使用容量）が９１８ビット、読取距離３５乃至１５０ｃｍ、書込距離５ｃｍである。そして、１ワード（１６ビット）当たりの処理速度は、読出しが１０ｍｓ、書込みが５０ｍｓである。すなわち、５０枚のカードを１．５秒で識別する能力があるので、複数の情報を一度に読み取ることができる。そして、メモリーのユニークＩＤは、３２ビットである。そのため、商品の一括検品や、レジでの料金計算を顧客を待たせることなく一瞬のうちに行うことができ、能率的である。
【００３５】
本発明によるカード状データ記録媒体においては、第２のデータ記録部６に設けられた不揮発性半導体メモリ５に対し、カード１の裏面の光ディスクの磁気による電波障害を受けることがないように配慮した。これにより、光学的にデータが記録された第１のデータ記録部２と非接触ＩＣチップの合体を可能にした。
【００３６】
さらに、カード１の表面の他端には、第１のデータ又は第２のデータの記録内容又は記録内容に関する事項を、視覚的に表示する情報表示部７ａ，７ｂおよび７ｃが設けられている。情報表示部７ａ、７ｂおよび７ｃには、目視する角度により表示画像が異なって見えるホログラフィが形成されている。このホログラフィは、夫々異なる２４コマの画像からなり、これにより、データ記録媒体との視覚角度を変化させることにより一連の動画的画像を提供できるようになっている。
【００３７】
また、情報表示部７ａ〜７ｃには、目視により確認することのできる文字、記号又は図形等の情報が予め印刷されたラベルを貼付けてもよいし、ホログラフィとラベルの両者を組み合わせてもよい。
【００３８】
図７は、図６に示す第２のデータ記録部のＥＥ線断面図である。第２のデータ記録部６には、不揮発性半導体メモリ５とループアンテナ（図示せず）が印刷され、非接触データ記録部のラベルカバー８によりシールされている。半導体メモリ５への情報の書き込みおよび読出しは、１３．４５ＧＨｚの周波数を用いた小型のスキャナーにより行われる。この装置は、公知であり説明は省略する。
【００３９】
実施例における半導体メモリーは、アンチヒューズメモリー、即ち、非可逆メモリーである。そのため、不正なデータの改ざんを防止している。
【００４０】
実施例において半導体メモリ５には、予めカード１に光学的に記録されているデータや情報の属性を入力しておいた。そして、無線により非接触でカード１のＩＤコード等を電子データとして識別した後、カード１に記録されているデータや情報の内容を確認することができる。
【００４１】
図８は、本発明によるカード状データ記録媒体の第２の実施例である。カード１の裏面において、貫通穴３の外側同心円上の位置に、３個のほぼ三角形状の突起４ｇ，４ｈ，４ｉが形成されている。すなわち、三角形状の突起４ｇ〜４ｉは、データ記録媒体１の横長方向の両端側に設けられ、その底辺が貫通穴３の外側同心円上に沿う状態に設けられている。この三角形状の突起の底辺は、貫通穴３の中心から４０ミリメートル離れた位置に形成されている。
【００４２】
図９は、図８のＧＧ線断面を矢印Ｆの方向から見た本データ記録媒体の形状を示す。突起を設けた面側、すなわちカード１の裏面に第１のデータ記録部２が設けられている。
【００４３】
図１０は、図８を矢印Ｆの方向から見た図である。
【００４４】
図１１は、第２のデータ記録部６に入力してデータを読み出し及び書き込みすることができる各種アンテナの形状を示す。これらのアンテナは用途により選択することができ、ハンディタイプ、スタンダードタイプおよびゲートタイプ等を使い分けている。
【００４５】
図１２は、本発明によるカード状記録媒体の利用例を示す図である。図示したように第１および第２の情報記録部を組み込んだカード状記録媒体は、各種の用途に利用することができる。例えば、小売店メンバ管理、クリーニング管理、ブランド品真贋管理、セキュリティー管理、食堂管理、低価格ＩＣカ−ドへの利用、薬物・カルテ管理、物流在庫管理および図書館における書籍貸与管理等に利用することができる。また、このカード状データ記録媒体をプリペイドカード等のチケットとして利用することもできる。
【００４６】
【発明の効果】
以上述べたように、本発明に係るデータ記録媒体は、第２のデータ記録部を具備しこれを非接触にて読み取ることにより、コードデータ、オーディオデータ、画像データ等の光学的に記録されている主情報を、実際に光学的読取装置にかけなくともそこに如何なる情報データが記録されているかを知ることができる。
【００４７】
そして、カードの裏面には貫通穴の外側の同心円上に突起を設け、この突起が光学的読取装置のディスク受けトレイに設けた円形の凹みに合致嵌合して、カードを読取位置に位置決めするようにした。これにより、トレイが閉じるときの慣性と衝撃により、カードの位置がずれ、読取不能となる事態を排除している。
【００４８】
また、本発明によるカード状データ記録媒体は、携帯可能なカードサイズであるにもかかわらず、カードに設けた光学的なデータ記録部には多種多量の情報を記録することができ、データ記録部は光学的読取装置にかけなくとも非接触状態にてデータの書き込み及び読み出すことを可能としている。
【００４９】
さらに、本発明によるデータ記録媒体には、第１のデータ記録部に記録されている主情報の内容に関連する視覚情報を提供する情報表示手段をホログラフィによって提供できるので、本データ記録媒体の取扱い及び利用分野を飛躍的に拡大することが可能となったのである。
【図面の簡単な説明】
【図１】  本発明のカード状データ記録媒体を裏面から見た状態を示す。
【図２】  図１のＡＡ線断面図を示す。
【図３】  図１を矢印Ｂの方向から見た形状を示す。
【図４】  図１を矢印Ｃの方向から見た形状を示す。
【図５】  図１のＤＤ線の一部拡大断面図を示す。
【図６】  本発明のカード状データ記録媒体を表面から見た形状を示す。
【図７】  図６に示す第２のデータ記録部のＥＥ線断面図を示す。
【図８】  本発明によるカード状データ記録媒体の第２の実施例を示す。
【図９】  図８のＧＧ線断面を矢印Ｆの方向から見た形状を示す。
【図１０】  図８を矢印Ｆの方向から見た形状を示す。
【図１１】  ループアンテナと不揮発性メモリＩＣとにより構成される第２のデータ記録部６の形状を示す。
【図１２】  本発明によるカード状データ記録媒体の利用例を示す。
【図１３】  従来の情報カードの断面を模式的に示す。
【図１４】  従来の光学的読取装置のＣＤを載置するトレイを模式的に示す。
【符号の説明】
１  カード
２  第１のデータ記録部
３  貫通穴
４ａ〜４ｉ  突起
５  半導体メモリ
６  第２のデータ記録部
７ａ〜７ｃ  情報表示部
８  第２のデータ記録部のラベルカバー
９  シールカバー
【図１】
2005100477.tif 000003
【図２】
2005100477.tif 000004
【図３】
2005100477.tif 000005
【図４】
2005100477.tif 000006
【図５】
2005100477.tif 000007
【図６】
2005100477.tif 000008
【図７】
2005100477.tif 000009
【図８】
2005100477.tif 000010
【図９】
2005100477.tif 000011
【図１０】
2005100477.tif 000012
【図１１】
2005100477.tif 000013
【図１２】
2005100477.tif 000014
【図１３】
2005100477.tif 000015
【図１４】
2005100477.tif 000016